(57)【特許請求の範囲】
【請求項１】
オフィスビル内に設置され、かつ、少なくとも空気調和装置を含む複数の設備機器を集中的に管理する集中コントローラであって、
本体（２１）と、
前記本体を壁面に取り付けて設置するための取付部（２２）と、
前記本体の正面に配置され、タッチパネル式であるディスプレイ（２３）と、
前記本体の背面に配置され、前記設備機器を遠隔から管理する遠隔管理装置（３０）との接続に用いられるＬＡＮケーブルのコネクタが装着される第１ＬＡＮポート（２４）と、
前記本体の背面以外の面に配置され、前記コネクタが装着される第２ＬＡＮポート（２５）と、
前記第１ＬＡＮポートが有効であり前記第２ＬＡＮポートが無効である第１モードと、前記第１ＬＡＮポートが無効であり前記第２ＬＡＮポートが有効である第２モードとを切り替え、かつ、水平方向に移動可能な凸部（２６ａ）を有する切替スイッチ（２６）と、
前記切替スイッチが前記第２モードにある状態を防止する第２モード防止機構（２７）と、
前記本体の正面側から前記第２ＬＡＮポートを覆い、かつ、前記本体に対して取り付けおよび取り外しが可能であるポートカバー（２８）と、
を備え、
前記第２ＬＡＮポートは、前記第１ＬＡＮポートと同じ形状を有し、前記本体の正面側から前記コネクタを装着することができ、
前記ポートカバーは、前記本体に取り付けられるとき、前記切替スイッチを覆い、
前記第２モード防止機構は、前記ポートカバーの裏面に形成される突起であり、かつ、前記本体に前記ポートカバーを取り付けることを防止するカバー取付防止機構（２７）であり、
前記カバー取付防止機構は、前記切替スイッチが前記第２モードにあるとき、前記切替スイッチの前記凸部と当たって、前記本体に前記ポートカバーを取り付けることを防止する、
集中コントローラ（２０）。
【請求項２】
前記第２ＬＡＮポートは、前記本体の正面に配置されている、
請求項１に記載の集中コントローラ。
【発明の詳細な説明】
【技術分野】
【０００１】
本発明は、集中コントローラに関する。
【背景技術】
【０００２】
従来、オフィスビル内に設置される複数の設備機器を集中的に管理するための集中コントローラが用いられている。集中コントローラは、特許文献１（特開２００３−３０７３３５号公報）に開示されるように、空気調和装置および照明等の設備機器を遠隔監視および遠隔操作するための端末に、ネットワークを介して接続されている。ネットワークに接続される集中コントローラには、例えば、ＬＡＮケーブルのコネクタを装着するためのＬＡＮポートが設けられている。
【発明の概要】
【発明が解決しようとする課題】
【０００３】
しかし、集中コントローラが壁面に埋め込まれて設置される機器である場合、通常、外観を考慮して、ＬＡＮポートは集中コントローラ本体の背面に設けられている。そのため、集中コントローラの保守作業を実施する際には、壁面に埋め込まれている集中コントローラを取り外してＬＡＮケーブルの配線を行う必要があり、効率的に作業することが困難であった。
【０００４】
本発明の目的は、保守作業を効率的に実施することができる集中コントローラを提供することである。
【課題を解決するための手段】
【０００５】
本発明の第１観点に係る集中コントローラは、オフィスビル内に設置され、かつ、少なくとも空気調和装置を含む複数の設備機器を集中的に管理する。集中コントローラは、本体と、取付部と、ディスプレイと、第１ＬＡＮポートと、第２ＬＡＮポートと、切替スイッチと、第２モード防止機構と、ポートカバーとを備える。取付部は、本体を壁面に取り付けて設置するための部材である。ディスプレイは、本体の正面に配置され、タッチパネル式である。第１ＬＡＮポートは、本体の背面に配置され、設備機器を遠隔から管理する遠隔管理装置との接続に用いられるＬＡＮケーブルのコネクタが装着される。第２ＬＡＮポートは、本体の背面以外の面に配置され、ＬＡＮケーブルのコネクタが装着される。切替スイッチは、第１モードと第２モードとを切り替え、かつ、水平方向に移動可能な凸部を有する。第１モードは、第１ＬＡＮポートが有効であり、第２ＬＡＮポートが無効であるモードである。第２モードは、第１ＬＡＮポートが無効であり、第２ＬＡＮポートが有効であるモードである。第２モード防止機構は、切替スイッチが第２モードにある状態を防止する。ポートカバーは、本体の正面側から第２ＬＡＮポートを覆う。ポートカバーは、本体に対して取り付けおよび取り外しが可能である。第２ＬＡＮポートは、第１ＬＡＮポートと同じ形状を有する。第２ＬＡＮポートは、本体の正面側から、ＬＡＮケーブルのコネクタを装着することができる。ポートカバーは、本体に取り付けられるとき、切替スイッチを覆う。第２モード防止機構は、ポートカバーの裏面に形成される突起であり、かつ、本体にポートカバーを取り付けることを防止するカバー取付防止機構である。カバー取付防止機構は、切替スイッチが第２モードにあるとき、切替スイッチの凸部と当たって、本体にポートカバーを取り付けることを防止する。
【０００６】
第１観点に係る集中コントローラは、設備機器を遠隔監視および遠隔操作するための端末である遠隔管理装置にＬＡＮケーブルを介して接続され、ＬＡＮケーブルのコネクタが装着される第１ＬＡＮポートおよび第２ＬＡＮポートを備える。第１ＬＡＮポートおよび第２ＬＡＮポートは、同一の機能を有し、集中コントローラの本体の互いに異なる場所に配置されている。第１ＬＡＮポートは、本体の背面に配置され、通常運用時において使用される。集中コントローラが壁面に埋め込まれて設置される機器である場合、通常運用時には第１ＬＡＮポートは外部からは見えない。一方、第２ＬＡＮポートは、本体の正面等、本体の背面以外の面に配置され、保守作業時において使用される。第２ＬＡＮポートは、本体の正面側からアクセス可能な場所に配置されている。そのため、保守作業時において、容易に、ＬＡＮケーブルのコネクタを第２ＬＡＮポートに装着し、また、第２ＬＡＮポートから取り外すことができる。従って、第１観点に係る集中コントローラは、保守作業を効率的に実施することができる。
【０００７】
第１観点に係る集中コントローラは、第１ＬＡＮポートおよび第２ＬＡＮポートのいずれか一方を有効にし、他方を無効にするための切替スイッチを備える。保守作業者は、切替スイッチを操作して、通常運用時には第１ＬＡＮポートのみが有効である第１モードに切り替え、保守作業時には第２ＬＡＮポートのみが有効である第２モードに切り替えることができる。これにより、集中コントローラを壁面から取り外して第１ＬＡＮポートからＬＡＮケーブルのコネクタを取り外す作業を行うことなく、第１ＬＡＮポートを一時的に無効にして、保守作業用の端末が接続されているＬＡＮケーブルのコネクタを第２ＬＡＮポートに装着することができる。従って、第１観点に係る集中コントローラは、保守作業をより効率的に実施することができる。
【０００８】
第１観点に係る集中コントローラは、第２モード防止機構によって、第２ＬＡＮポートのみが有効になっている第２モードを保守作業時以外において禁止することができる。これにより、通常運用時における第２ＬＡＮポートの使用を禁止することができる。従って、第１観点に係る集中コントローラは、保守作業時における保守作業者のミスを防止することができる。
【０００９】
第１観点に係る集中コントローラは、第２ＬＡＮポートを覆うポートカバーを備えるので、保守作業者以外の集中コントローラの利用者が、第２ＬＡＮポートを使用することを防止する。従って、第１観点に係る集中コントローラは、通常運用時における利用者のミスを防止することができる。
【００１０】
第１観点に係る集中コントローラは、第２ＬＡＮポートのみが有効になっている第２モードにおいて、第２ＬＡＮポートを覆うポートカバーを本体に取り付けることを防止する。これにより、保守作業者は、集中コントローラの保守作業を終えた後に、集中コントローラを第２モードから第１モードに忘れずに切り替えることができる。従って、第１観点に係る集中コントローラは、保守作業時における保守作業者のミスを防止することができる。
【００１１】
本発明の第２観点に係る集中コントローラは、第１観点に係る集中コントローラであって、第２ＬＡＮポートは、本体の正面に配置されている。
【００１２】
第２観点に係る集中コントローラでは、第２ＬＡＮポートは本体の正面に配置されているので、保守作業者は、第２ＬＡＮポートに容易にアクセスすることができる。従って、第２観点に係る集中コントローラは、保守作業をより効率的に実施することができる。
【発明の効果】
【００１３】
本発明の第１観点に係る集中コントローラは、保守作業を効率的に実施することができる。また、本発明の第１観点に係る集中コントローラは、保守作業時における保守作業者のミスを防止することができる。また、本発明の第１観点に係る集中コントローラは、通常運用時における利用者のミスを防止することができる。
【００１４】
本発明の第２観点に係る集中コントローラは、保守作業をより効率的に実施することができる。
【図面の簡単な説明】
【００１５】
【図１】本発明の実施形態に係る冷凍装置管理システムの構成を示す図である。
【図２】空気調和装置の構成を示す図である。
【図３】正面から見た集中コントローラを示す図である。
【図４】ポートカバーが取り外された状態における、正面から見た集中コントローラを示す図である。
【図５】背面から見た集中コントローラを示す図である。
【図６】壁面に埋設された集中コントローラを示す図である。
【図７】裏面から見たポートカバーの外観図である。
【図８】集中コントローラが第２モードにある場合における、ポートカバーのボスと切替スイッチとの位置関係を示す図である。
【図９】集中コントローラが第１モードにある場合における、ポートカバーのボスと切替スイッチとの位置関係を示す図である。
【図１０】図９において、ポートカバーが本体に取り付けられた状態を示す図である。
【発明を実施するための形態】
【００１６】
本発明の実施形態に係る集中コントローラ２０を備える冷凍装置管理システム１００について、図面を参照しながら説明する。冷凍装置管理システム１００は、オフィスビル９０に設置される冷凍装置としての空気調和装置１０を管理するシステムである。冷凍装置管理システム１００は、空気調和装置１０の設置場所から離れた場所において、空気調和装置１０を集中的に監視および制御するシステムである。
【００１７】
（１）冷凍装置管理システムの全体構成
図１に示されるように、冷凍装置管理システム１００は、主として、空気調和装置１０と、集中コントローラ２０と、遠隔管理装置３０とから構成される。オフィスビル９０には、複数の空気調和装置１０が設置されている。集中コントローラ２０は、複数の空気調和装置１０を集中的に監視および制御するための機器である。集中コントローラ２０は、オフィスビル９０の管理人室等に設置される。集中コントローラ２０は、空気調和装置１０と専用線７０によって接続されている。遠隔管理装置３０は、オフィスビル９０にある遠隔管理センター１３に設置されるサーバである。遠隔管理装置３０は、オフィスビル９０のイントラネット６０を利用して、ＬＡＮケーブル８０によって集中コントローラ２０と有線接続されている。遠隔管理装置３０は、イントラネット６０経由で集中コントローラ２０にアクセスして空気調和装置１０を監視および制御するための機器である。
【００１８】
冷凍装置管理システム１００の管理者は、集中コントローラ２０または遠隔管理装置３０から、空気調和装置１０に対して所定の運転モードを実行させるための指令を送信することができる。所定の運転モードは、例えば、冷房運転モード、暖房運転モードおよび点検モードである。
【００１９】
次に、冷凍装置管理システム１００の各構成要素について説明する。
【００２０】
（２）空気調和装置の構成
図２に示されるように、空気調和装置１０は、主として、一台の室外機１１と、室外機１１に接続される複数の室内機１２とから構成される。一台の室外機１１には、最大６４台の室内機１２を接続することができる。すなわち、一つの冷媒回路は、一台の室外機１１と最大６４台の室内機１２とから構成される。空気調和装置１０は、図示されない圧縮機および熱交換器等から構成される冷媒回路を全体として構成する。室外機１１と室内機１２とは、専用線７０および図示されない冷媒配管により接続される。
【００２１】
（３）集中コントローラの構成
図３〜５に示されるように、集中コントローラ２０は、主として、本体２１と、取付部２２と、ディスプレイ２３と、第１ＬＡＮポート２４と、第２ＬＡＮポート２５と、切替スイッチ２６と、ポートカバー２８と、カバー取付防止機構２７とから構成される。図３において、第２ＬＡＮポート２５および切替スイッチ２６は、ポートカバー２８で覆われて見えない位置にある。後述するように、カバー取付防止機構２７は、ポートカバー２８に形成されるボス２７である。
【００２２】
図６に示されるように、集中コントローラ２０は、オフィスビル９０の管理人室等の壁面４０に埋め込まれて設置される。オフィスビル９０の管理人等である集中コントローラ２０の利用者は、壁面４０に埋設された集中コントローラ２０を操作して、複数の空気調和装置１０を集中的に監視および制御することができる。
【００２３】
次に、集中コントローラ２０の各構成要素について説明する。
【００２４】
（３−１）本体
本体２１は、集中コントローラ２０のプラスチック製の筐体である。本体２１には、取付部２２と、ディスプレイ２３と、第１ＬＡＮポート２４と、第２ＬＡＮポート２５と、切替スイッチ２６と、ポートカバー２８とが配置されている。ポートカバー２８は、本体２１から取り外すことが可能であり、本体２１に取り付けることが可能である。図４は、ポートカバー２８が取り外された集中コントローラ２０を示す。
【００２５】
集中コントローラ２０は、本体２１の内部に、図示されない記憶部および制御部等を有する。記憶部は、空気調和装置１０の管理に用いられるデータおよびプログラムを記憶するＲＯＭ、ＲＡＭおよびハードディスク等である。記憶部は、空気調和装置１０の運転データおよび運転スケジュール等を記憶する。制御部は、記憶部に記憶されているプログラムを実行して所定のデータを処理するＣＰＵ等である。
【００２６】
（３−２）取付部
取付部２２は、オフィスビル９０の管理人室等の壁面４０に集中コントローラ２０を埋設する際に、本体２１を壁面４０に固定するために用いられる金属製または樹脂製の部材である。図６に示されるように、取付部２２は、本体２１に固定して取り付けられている。取付部２２の上下端部には、取付片２２ａが互いに対向して突設されている。取付片２２ａは、ねじ等によって壁面４０に取り付けられる。
【００２７】
（３−３）ディスプレイ
ディスプレイ２３は、本体２１に配置されるタッチパネル式の機器である。以下、ディスプレイ２３が配置される側の面を、本体２１の「正面」と呼び、本体２１の正面の反対側の面を、本体２１の「背面」と呼ぶ。図３および図４は、正面から見た集中コントローラ２０を示し、図５は、背面から見た集中コントローラ２０を示す。ディスプレイ２３は、集中コントローラ２０の表示装置および入力装置としての機能を有する。例えば、集中コントローラ２０は、図３および図４に示されるような空気調和装置１０の管理設定画面をディスプレイ２３に表示することができる。オフィスビル９０の管理人等である集中コントローラ２０の利用者は、ディスプレイ２３の所定の部分を指で触れることで、ディスプレイ２３に表示されているインターフェイスを用いて空気調和装置１０の管理に用いられるデータを入力することができる。
【００２８】
（３−４）第１ＬＡＮポート
第１ＬＡＮポート２４には、集中コントローラ２０とイントラネット６０とを接続するためのＬＡＮケーブル８０のコネクタが装着されている。図５に示されるように、第１ＬＡＮポート２４は、本体２１の背面に配置される。そのため、冷凍装置管理システム１００の通常運用時、すなわち、オフィスビル９０の管理人室等の壁面４０に集中コントローラ２０が埋設されている状態では、集中コントローラ２０の利用者は、第１ＬＡＮポート２４、および、第１ＬＡＮポート２４に装着されているＬＡＮケーブル８０を見ることができない。また、冷凍装置管理システム１００の通常運用時および保守作業時のいずれにおいても、第１ＬＡＮポート２４に装着されているＬＡＮケーブル８０のコネクタは、第１ＬＡＮポート２４から取り外されない。
【００２９】
（３−５）第２ＬＡＮポート
図４に示されるように、第２ＬＡＮポート２５は、本体２１の正面に配置される。第２ＬＡＮポート２５は、第１ＬＡＮポート２４と同様に、ＬＡＮケーブルのコネクタを装着することができるポートである。
【００３０】
冷凍装置管理システム１００の通常運用時において、第２ＬＡＮポート２５は、ポートカバー２８で覆われている。第２ＬＡＮポート２５は、冷凍装置管理システム１００の保守作業時に使用される。冷凍装置管理システム１００の保守作業者は、自身の保守作業用端末と集中コントローラ２０とをＬＡＮケーブルを介して一時的に接続するために、第２ＬＡＮポート２５にＬＡＮケーブルのコネクタを装着する。なお、通常、冷凍装置管理システム１００の保守作業者は、集中コントローラ２０の利用者ではない。
【００３１】
（３−６）切替スイッチ
図４に示されるように、切替スイッチ２６は、本体２１の正面に配置される。冷凍装置管理システム１００の通常運用時において、切替スイッチ２６は、ポートカバー２８で覆われている。切替スイッチ２６は、第１ＬＡＮポート２４および第２ＬＡＮポート２５のいずれか一方を有効にし、かつ、他方を無効にするためのスイッチである。具体的には、切替スイッチ２６を操作することで、第１モードの集中コントローラ２０と、第２モードの集中コントローラ２０との間を切り替えることができる。第１モードの集中コントローラ２０は、第１ＬＡＮポート２４が有効になっており、第２ＬＡＮポート２５が無効になっている。第２モードの集中コントローラ２０は、第１ＬＡＮポート２４が無効になっており、第２ＬＡＮポート２５が有効になっている。
【００３２】
図４に示されるように、切替スイッチ２６は、水平方向に移動可能な凸部２６ａを有する。集中コントローラ２０を正面から見た場合、切替スイッチ２６の凸部２６ａは、第１モードでは左側に位置し、第２モードでは右側に位置している。冷凍装置管理システム１００の保守作業者は、手動で切替スイッチ２６の切り替え操作を行うことができる。冷凍装置管理システム１００の保守作業者は、冷凍装置管理システム１００の保守作業の開始時において、切替スイッチ２６を第１モードから第２モードに切り替え、保守作業の完了時において、切替スイッチ２６を第２モードから第１モードに切り替える。
【００３３】
冷凍装置管理システム１００の通常運用時において、集中コントローラ２０は、第１モードの状態にある。この場合、第１ＬＡＮポート２４には、イントラネット６０に接続されるＬＡＮケーブル８０のコネクタが装着されている。一方、冷凍装置管理システム１００の保守作業時において、集中コントローラ２０は、第２モードの状態にある。この場合、第１ＬＡＮポート２４には、イントラネット６０に接続されるＬＡＮケーブル８０のコネクタが装着され、第２ＬＡＮポート２４には、冷凍装置管理システム１００の保守作業者の保守作業用端末に接続されるＬＡＮケーブルのコネクタが装着されている。
【００３４】
（３−７）ポートカバー
ポートカバー２８は、第２ＬＡＮポート２５および切替スイッチ２６を覆う部材である。ポートカバー２８は、本体２１の正面側に取り付けられる。ポートカバー２８は、本体２１と同じ、または、本体２１に近似している色および材質を有している。図７は、本体２１に取り付けられるポートカバー２８を、本体２１の背面側から見た外観図である。以下、本体２１に取り付けた場合に見えなくなる面を、ポートカバー２８の「裏面」と呼ぶ。ポートカバー２８の裏面には、後述するカバー取付防止機構２７であるボス２７が形成されている。
【００３５】
冷凍装置管理システム１００の通常運用時には、第２ＬＡＮポート２５および切替スイッチ２６は、ポートカバー２８で覆われている。通常、ポートカバー２８を本体２１から取り外す者は、冷凍装置管理システム１００の保守作業者のみである。すなわち、保守作業者のみが、集中コントローラ２０の第２ＬＡＮポート２５および切替スイッチ２６にアクセスする。
【００３６】
（３−８）カバー取付防止機構
図８〜１０は、集中コントローラ２０の本体２１を下から見た図である。カバー取付防止機構２７は、ポートカバー２８の裏面に形成されているボス２７である。ボス２７は、ポートカバー２８の裏面に配置されている突起である。ポートカバー２８のボス２７は、切替スイッチ２６に干渉する位置に配置されている。具体的に説明すると、集中コントローラ２０が第２モードにある場合、すなわち、切替スイッチ２６の凸部２６ａが右側に位置している場合には、図８に示されるように、切替スイッチ２６の凸部２６ａの先端は、ポートカバー２８のボス２７の先端に当たる位置にある。そのため、集中コントローラ２０が第２モードにある場合は、ポートカバー２８を本体２１に取り付けることができない。一方、集中コントローラ２０が第１モードにある場合、すなわち、切替スイッチ２６の凸部２６ａが左側に位置している場合には、図９に示されるように、切替スイッチ２６の凸部２６ａの先端は、ポートカバー２８のボス２７の先端に当たらない位置にある。そのため、図１０に示されるように、集中コントローラ２０が第１モードにある場合は、ポートカバー２８を本体２１に確実に取り付けることができる。
【００３７】
従って、ポートカバー２８のボス２７は、第２モードの集中コントローラ２０にポートカバー２８を取り付けることを防止するカバー取付防止機構２７である。また、ポートカバー２８のボス２７は、冷凍装置管理システム１００の保守作業が完了した後に、保守作業者が、集中コントローラ２０を第２モードから第１モードに切り替え忘れることを防止する第２モード防止機構２７である。
【００３８】
（４）遠隔管理装置の構成
遠隔管理装置３０は、オフィスビル９０のイントラネット６０経由で集中コントローラ２０にアクセスして、空気調和装置１０を集中監視および集中制御する機能を有するサーバである。遠隔管理装置３０は、集中コントローラ２０と同様に、記憶部および制御部等を有する。記憶部は、空気調和装置１０の管理に用いられるデータおよびプログラムを記憶するＲＯＭ、ＲＡＭおよびハードディスク等である。記憶部は、例えば、空気調和装置１０の運転データおよび運転スケジュールを記憶する。制御部は、記憶部に記憶されているプログラムを実行してデータを処理するＣＰＵ等である。遠隔管理装置３０は、集中コントローラ２０を介して、空気調和装置１０に運転制御指令を発行して、空気調和装置１０の動作を制御する。
【００３９】
（５）特徴
（５−１）
本実施形態に係る冷凍装置管理システム１００では、集中コントローラ２０は、遠隔管理装置３０からオフィスビル９０のイントラネット６０経由で複数の空気調和装置１０を遠隔監視および遠隔操作するために使用される。集中コントローラ２０は、同一の機能を有する第１ＬＡＮポート２４および第２ＬＡＮポート２５を備える。第１ＬＡＮポート２４は、本体２１の背面に配置され、冷凍装置管理システム１００の通常運用時において、集中コントローラ２０とイントラネット６０との間の接続に使用される。集中コントローラ２０は、オフィスビル９０の管理人室等の壁面４０に埋設される機器であるので、冷凍装置管理システム１００の通常運用時において、集中コントローラ２０の利用者は、第１ＬＡＮポート２４を見ることができない。一方、第２ＬＡＮポート２５は、本体２１の正面に配置され、冷凍装置管理システム１００の保守作業時において、集中コントローラ２０と保守作業者の保守作業用端末との間の接続のために一時的に使用される。第２ＬＡＮポート２５は、本体２１の正面側からアクセス可能な位置に配置されているので、集中コントローラ２０が壁面４０に埋設されている状態で、保守作業者は、ＬＡＮケーブルのコネクタを第２ＬＡＮポート２５に装着することができる。そのため、保守作業者は、自身の保守作業用端末との接続に使用されるＬＡＮケーブルのコネクタを第２ＬＡＮポート２５に容易に装着し、取り外すことができる。従って、本実施形態に係る集中コントローラ２０は、保守作業を効率的に実施することができる。
【００４０】
（５−２）
本実施形態に係る集中コントローラ２０は、第１ＬＡＮポート２４および第２ＬＡＮポート２５のいずれか一方を有効にし、他方を無効にするための切替スイッチ２６を備える。冷凍装置管理システム１００の保守作業者は、切替スイッチ２６を操作して、第１モードの集中コントローラ２０と第２モードの集中コントローラ２０との間を容易に切り替えることができる。これにより、保守作業者は、オフィスビル９０の管理人室等の壁面４０に埋設されている集中コントローラ２０を壁面４０から取り外し、第１ＬＡＮポート２４からＬＡＮケーブル８０のコネクタを取り外し、保守作業用端末と接続するための別のＬＡＮケーブルを第１ＬＡＮポート２４に装着するという一連の作業を行う必要がない。すなわち、保守作業者は、切替スイッチ２６を操作して、集中コントローラ２０を第１モードから第２モードに切り替えることで、容易に、第１ＬＡＮポート２４を無効にして、第２ＬＡＮポート２５を有効にすることができる。そのため、保守作業者は、切替スイッチ２６を操作して一時的に第２モードに切り替え、保守作業用端末と接続するためのＬＡＮケーブルを第２ＬＡＮポート２５に装着する作業を行うだけで、保守作業を行うことができる。従って、本実施形態に係る集中コントローラ２０は、保守作業をより効率的に実施することができる。
【００４１】
（５−３）
本実施形態に係る集中コントローラ２０では、冷凍装置管理システム１００の通常運用時において、第２ＬＡＮポート２５および切替スイッチ２６は、ポートカバー２８に覆われている。冷凍装置管理システム１００の保守作業時において、保守作業者は、ポートカバー２８を本体２１から取り外し、切替スイッチ２６を操作して集中コントローラ２０を第１モードから第２モードに切り替える。そして、保守作業者は、第２ＬＡＮポート２５を使用して保守作業を完了した後に、切替スイッチ２６を操作して集中コントローラ２０を第２モードから第１モードに切り替え、ポートカバー２８を本体２１に取り付ける。ポートカバー２８を本体２１に取り付けることで、保守作業者以外の集中コントローラ２０の利用者が、第２ＬＡＮポート２５および切替スイッチ２６を使用することが防止される。従って、本実施形態に係る集中コントローラ２０は、通常運用時における利用者のミスを防止することができる。
【００４２】
（５−４）
本実施形態に係る集中コントローラ２０では、ポートカバー２８に形成されるボス２７は、切替スイッチ２６の凸部２６ａが第２モードの位置にある状態において、ポートカバー２８の本体２１への取り付けを防止する。すなわち、冷凍装置管理システム１００の保守作業者は、集中コントローラ２０が第２モードになっている状態でポートカバー２８を本体２１に取り付けることができない。これにより、保守作業者は、保守作業が完了した後に、集中コントローラ２０を第２モードから第１モードに忘れずに切り替えることができる。従って、本実施形態に係る集中コントローラ２０は、保守作業時における保守作業者のミスを防止することができる。
【００４３】
（６）変形例
（６−１）変形例Ａ
本実施形態において、冷凍装置管理システム１００は、集中コントローラ２０を用いて空気調和装置１０を集中的に監視および制御するシステムである。しかし、本実施形態に係る集中コントローラ２０は、空気調和装置１０のみでなく、空気調和装置１０以外の設備機器をも集中的に監視および制御するシステムに用いられてもよい。
【００４４】
（６−２）変形例Ｂ
本実施形態において、集中コントローラ２０の第２ＬＡＮポート２５は、本体２１の正面に配置されている。しかし、第２ＬＡＮポート２５は、本体２１の背面以外の部分であって、かつ、集中コントローラ２０が壁面４０に埋設されている状態でアクセス可能な部分であれば、本体２１の他の部分に配置されてもよい。例えば、第２ＬＡＮポート２５は、本体２１の側面に配置されてもよい。
【００４５】
（６−３）変形例Ｃ
本実施形態に係る冷凍装置管理システム１００では、図１に示されるように、遠隔管理装置３０は、オフィスビル９０に設置された一の集中コントローラ２０に接続されている。しかし、遠隔管理装置３０は、オフィスビル９０に設置された複数の集中コントローラ２０に接続されてもよい。また、遠隔管理装置３０は、複数のオフィスビル９０にそれぞれ設置された集中コントローラ２０に接続されてもよい。
【００４６】
（６−４）変形例Ｄ
本実施形態に係る冷凍装置管理システム１００では、図１に示されるように、遠隔管理装置３０は、オフィスビル９０に設置され、イントラネット６０を介して集中コントローラ２０に接続されている。しかし、遠隔管理装置３０は、オフィスビル９０以外の物件に設置され、インターネットおよび電話回線等を介してオフィスビル９０の集中コントローラ２０に接続されてもよい。
【産業上の利用可能性】
【００４７】
本発明に係る集中コントローラは、保守作業を効率的に実施することができる。
【符号の説明】
【００４８】
２０      集中コントローラ
２１      本体
２２      取付部
２３      ディスプレイ
２４      第１ＬＡＮポート
２５      第２ＬＡＮポート
２６      切替スイッチ
２７      ボス（第２モード防止機構）
２８      ポートカバー
２７      ボス（カバー取付防止機構）
３０      遠隔管理装置
【先行技術文献】
【特許文献】
【００４９】
【特許文献１】特開２００３−３０７３３５号公報
【図１】
0005561319.tif 000002
【図２】
0005561319.tif 000003
【図３】
0005561319.tif 000004
【図４】
0005561319.tif 000005
【図５】
0005561319.tif 000006
【図６】
0005561319.tif 000007
【図７】
0005561319.tif 000008
【図８】
0005561319.tif 000009
【図９】
0005561319.tif 000010
【図１０】
0005561319.tif 000011